(57)【要約】【課題】インターネット通信で株式情報ホームページをリンク結合して一元管理して、優良株式の売買を容易にして収益を上げ、ｂａｃｋ  ｍｕｓｉｃを聴きながらホームページを見るシステム技術を提供する。【解決手段】株式情報を一元管理してホームページリンク結合でホームページのフレーム分割を行い、デイトレード、スイングトレード、ボラテイリテイーの高い銘柄をすばやく見つけ、株式売買を容易に行う。また  ｂａｃｋ  ｍｕｓｉｃを聴きながら株式売買ができ、ホームページが気分よく、調査することができる。  一元管理の主な情報はインターネット証券を無料で配信するニュース、証券、銀行、その他金融、不動産、ファンド、日経平均先物、新聞株式情報、新聞ニュース等の株式情報の一元管理の情報であるインターネット通信のホームページリンク結合システム開発方法。【選択図】図１
2008198045.tif 000002
【特許請求の範囲】
【請求項１】
ホームページフレーム分割を行い、株式売買のホームページと株式情報のホームページをリンク統合して一元管理して株式売買を容易に行なうことを提供することを特徴とするインターネットリンク通信開発システム。
【請求項２】
一元管理なので、一台のパソコンで株式売買が容易に行なうことを提供することを特徴とするインターネットリンク通信開発システム。
【請求項３】
株式売買を一元管理することで、管理を容易にすることを提供することを特徴とするインターネットリンク通信開発システム。
【請求項４】
ｂａｃｋ  ｍｕｓｉｃを聴きながら楽しくホームページを調べることが、できることを提供することを特徴とするインターネットリンク通信開発システム。
【請求項５】
請求項１〜４いずれか記載の本発明は、業務に関係なく開発ができることを特徴とするインターネットリンク通信開発手法。
【発明の詳細な説明】
【技術分野】
【０００１】
本発明は、ｂａｃｋ  ｍｕｓｉｃを聴きながら株式売買をホームページを統合して（リンク統合）一元管理して行なう株式売買ホームページリンク統合である。なお、本発明は業務に関係なく適用することができるものである。
【背景技術】
【０００２】
従来、ｂａｃｋ  ｍｕｓｉｃを聴きながら株式のホームページと他人の株式関係ホームページを統合（リンク統合）して一元管理して容易に株式売買を行なうリンクホームページにする開発は考えられなかった。  
【０００３】
【特許文献１】特開２００３−１７７９１４号公報
【０００４】
【非特許文献１】新聞  ２００７年２月２日  東京スポーツ  これがジェイコム株騒動の２０億円大儲け男  ２００５年度  年間所得１０９億３２０８万７２８８円。
【０００５】
また近年、株式のホームページ  又は  ホームページの数は年々ふえてきている。
【０００６】
しかしながら、株式のホームページと他人のホームページを統合（リンク統合）して一元管理して容易に株式売買を行なうホームページを開発するには至っていない。
【０００７】
一方、最近における日本経済は無駄なお金をかけず企業  又は個人がより情報を取得する為に、よりよいホームページ作成して、より早くホームページ上で商売を行うという方法がますます必要になる。
【０００８】
他方、無駄なお金をかけず、よりよい株式売買のホームページの作成等が種々提案されているが、いずれも十分なものではなかった。
【０００９】
このように、現在までに提案されているインターネットの株式売買システムの開発方法は自社分のホームページを作成するのみで、いまだ、株式のホームページリンクの有効活用にはいたっていない。
【発明の開示】
【発明が解決しようとする課題】
【００１０】
しかしながら、以上の技術によれば、開発費をあまりかけずインターネット無料配信株式情報等を利用して、各ホームページ同士のリンクを行い、ホームページの有効活用の株式売買ソフト開発する方法は考えられなかった。
【００１１】
そこで、本発明は、ホームページの統合（リンク統合）を容易にして一元管理して株式売買が簡単できるホームページリンク結合、並びにシステム開発することを提供することを課題とする。
【００１２】
また、一台のパソコンでマルチ処理をして、より売買がしやすくなることを提供することを課題とする。
【００１３】
また、株式売買を一元管理することで、管理を容易にすることを提供することを課題とする。
【００１４】
また、ｂａｃｋ  ｍｕｓｉｃを聴きながら楽しくホームページを調べることが、できることを提供することを課題とするインターネットリンク通信開発システムで有る。
【課題を解決するための手段】
【００１５】
以上の課題を解決するために、第一発明は、ホームページフレーム分割を行い、株式売買のホームページと株式情報のホームページを統合して一元管理して株式売買を容易に行なうことを提供することを特徴とするインターネットリンク通信開発システムで有る。
【００１６】
また、第二発明は、一元管理なので、一台のパソコンで株式売買が簡単できることを、提供することを特徴とするインターネットリンク通信開発システムで有る。
【００１７】
また、第三発明は、株式売買を一元管理することで、管理を容易にすることを提供することを特徴とするインターネットリンク通信開発システムで有る。
【００１８】
また、第四発明は、ｂａｃｋ  ｍｕｓｉｃを聴きながら楽しくホームページを調べることが、できることを提供することを特徴とするインターネットリンク通信開発システムで有る。
【発明の効果】
【００１９】
以上説明したように、本発明のｂａｃｋ  ｍｕｓｉｃを聴きながら行なう一元管理株式売買によれば、下記の今までにない効果を奏するものである。
【００２０】
株式売買のホームページと株式情報のホームページを結合すれば、一元管理でき、仕事が楽になる。
【００２１】
一元管理なので、一台のパソコンで株式売買が容易に行なうことができる。
【００２２】
一元管理なので、株式売買が容易に行なうことができる。
【００２３】
一元管理なので、1日単位で売買するデイトレードに便利である。
【００２４】
一元管理なので、1週間単位で売買するスイングトレードに便利である。
【００２５】
一元管理なので、ボラティリティーの高い銘柄をすばやく見つけることができる。
【００２６】
ｂａｃｋ  ｍｕｓｉｃが流れて楽しくホームページを見ることができる。
【００２７】
音楽を聴きながら仕事をすると、リズミカルに仕事の効率が上がる。
【００２８】
ｗｅｂ系は世界的なものなので、仮想的考えが先走り、頭脳が片寄るため、音楽で片寄らないようになる。
【００２９】
これからのホームページのリンク産業として全国に派生する。
【発明を実施するための最良の形態】
【００３０】
図面に基づいて、本発明の実施の形態を説明する。
【実施例】
【００３１】
本発明の概念と作用は本人のホームページの
ＵＲＬ：http://homepage2.nifty.com/urltokyo/framepage12a.htmlで、イメージ確認は、できるもので有る。
【００３２】
また  ｂａｃｋ  ｍｕｓｉｃの詳細は私の発明のback  ｍｕｓｉｃ  及び  nonstop back musicを参照してください。
【００３３】
また  数種類の属性のターゲット（Ｔ）を組み合わせて一元管理できるようなる。例：「新しいウィンドウ」、「同一ウィンドウ」等
【００３４】
図１は、本発明の概念と作用を示す図である。
【００３５】
同図に示すように、本システムの概念は、
ホームページのフレーム５分割（Ａ１００，Ａ１０１、Ａ１０２、Ａ１０３、Ａ１０４、Ａ１０５）を行い、インターネット音楽配信等を利用して株式情報のホームページのリンク結合を行い、一元管理して、売買容易にでき、かつ  管理が容易にできる。
【００３６】
一元管理の主な情報はインターネット証券を無料で配信するニュース、証券、銀行、その他金融、不動産、ファンド、日経平均先物、日経平均株価、新聞株式情報、海外マーケット、新聞ニュース等の株式売買に関係する情報を一元管理の情報である。
【００３７】
図１の、本発明の詳細を説明する。
【００３８】
ｂａｃｋ  ｍｕｓｉｃ（Ａ１０７）をクリックするとｂａｃｋ  ｍｕｓｉｃ（図７）のページが表示されます。
【００３９】
株式情報（Ａ１１２〜Ａ１１６）は銀行業、その他金融、新聞、不動産、不動産投信、保険業、ファンド等を見ながら金利、株式等を見ます。
【００４０】
ページスクロール（Ａ１１９，Ａ１２０）いたします。
【００４１】
東証株式情報（Ａ１１７）をクリックすると、東証株式情報（図２）が表示されます。
【００４２】
日経平均先物、日経平均株価（Ａ１１８）をクリックすると、日経平均先物、日経平均株価関連が表示されます。
日経平均先物、日経平均株価関連ページも、自分で日経平均先物、日経平均株価関連のｕｒｌを洗いだして作成しておく。
【００４３】
日経平均先物のチェックは日経平均株価と連動しており、先物の数字を見ておけば日経平均株価がどうなるか、ある程度予測がつく。
【００４４】
ネット証券（Ａ１２２〜Ａ１２４）はネット証券等が見えます。
【００４５】
ネット証券（Ａ１２２〜Ａ１２４）はネット証券で証券を売買する。
【００４６】
ネット証券（Ａ１２２〜Ａ１２４）にインターネット証券を無料で配信するニュースを表示する。
【００４７】
ページスクロール（Ａ１１９，Ａ１２０）いたします。
【００４８】
ページ検索（Ａ１２６）はページ検索機能です。
【００４９】
株式銘柄情報（銘柄コード順）（Ａ１２７）をクリックすると銘柄コード順に企業名（図３）のイメージで全て銘柄が出力されます。
【００５０】
株式銘柄情報（新聞順）（Ａ１２８）をクリックすると新聞表示順に企業名（図３）のイメージで全て銘柄が出力されます。
【００５１】
株式銘柄情報（企業名順）（Ａ１２９）をクリックすると企業名順に企業名（図３）のイメージで全て銘柄が出力されます。
【００５２】
企業詳細（Ａ１３０）をクリックすると企業詳細（図４）のイメージで全ての銘柄が出力されます。
【００５３】
決算・投資指標情報（Ａ１３１）をクリックすると決算・投資指標情報（図５）のイメージで全ての銘柄が出力されます。
【００５４】
株価情報（Ａ１３２）をクリックすると株価情報（図６）のイメージで全ての銘柄が出力されます。
【００５５】
株式銘柄情報（Ａ１２７〜Ａ１３２）は属性のターゲット（Ｔ）は同一ウィンドウで作成した方が分かりやすい。
【００５６】
株式情報（Ａ１１２〜Ａ１１５）、ネット証券（Ａ１２２〜Ａ１２４）はインターネット証券を無料で配信するニュース、証券、銀行、その他金融、不動産、ファンド、日経平均先物、日経平均株価、新聞株式情報、新聞ニュース等の一元管理の情報である。
【００５７】
図２は、本発明の概念と作用を示す図である。
【００５８】
同図に示すように、本システムの概念は、
ホームページのフレーム３分割（Ｂ１００，Ｂ１０１，Ｂ１０２、Ｂ１０３）を行い、Ｂ１１３〜Ｂ１１８をクリックすると、企業名（図３）に銘柄情報が同一ワインドウ（Ｂ１０２）に表示される。銘柄コードと部から株式取引所を選択すると、同一ワインドウ（Ｂ１０２）に株式取引所が表示され、企業名（図３）の銘柄コード（Ｃ１０９）を銘柄検索（Ｃ１０７）にコピーして、決算・投資指標情報、株価情報等を表示します。
【００５９】
上記の処理は各種株式詳細ファイルで（図８）各種株式詳細ファイル（Ｈ１０５）で銘柄全て作成後、入力ファイルとして使用して、各種処理を行なう。
【００６０】
図２の、本発明の詳細を説明する。
【００６１】
株式銘柄情報（銘柄コード順）（Ｂ１１３）をクリックすると銘柄コード順に企業名（図３）のイメージで分割ページ（下側）（Ｃ１０３）へ全ての銘柄（Ｃ１０９〜Ｃ１１５）が出力されます。
【００６２】
株式取引所（Ｂ１０７〜Ｂ１１１）を選択して、クリックすると、株式取引所が分割ページ（上側右）（Ｃ１０２）に表示されます。
【００６３】
株式銘柄情報（新聞順）（Ｂ１１４）をクリックすると銘柄コード順に企業名（図３）のイメージで分割ページ（下側）（Ｃ１０３）へ全ての銘柄（Ｃ１０９〜Ｃ１１５）が出力されます。
【００６４】
株式取引所（Ｂ１０７〜Ｂ１１１）を選択して、クリックすると、株式取引所が分割ページ（上側右）（Ｃ１０２）に表示されます。
【００６５】
株式銘柄情報（企業名順）（Ｂ１１５）をクリックすると銘柄コード順に企業名（図３）のイメージで分割ページ（下側）（Ｃ１０３）へ全ての銘柄（Ｃ１０９〜Ｃ１１５）が出力されます。
【００６６】
株式取引所（Ｂ１０７〜Ｂ１１１）を選択して、クリックすると、株式取引所が分割ページ（上側右）（Ｃ１０２）に表示されます。
【００６７】
企業詳細（Ｂ１１６）をクリックすると銘柄コード順に企業詳細（図４）のイメージで分割ページ（下側）（Ｄ１０３）へ全ての銘柄（Ｄ１０９〜Ｄ１１８）が出力されます。
【００６８】
株式取引所（Ｂ１０７〜Ｂ１１１）を選択して、クリックすると、株式取引所が分割ページ（上側右）（Ｄ１０２）に表示されます。
【００６９】
決算・投資指標情報（Ｂ１１７）をクリックすると銘柄コード順に決算・投資指標情報（図５）のイメージで分割ページ（下側）（Ｅ１０３）へ全ての銘柄（Ｅ１０９〜Ｅ１１７）が出力されます。
【００７０】
株式取引所（Ｂ１０７〜Ｂ１１１）を選択して、クリックすると、株式取引所が分割ページ（上側右）（Ｅ１０２）に表示されます。
【００７１】
株価情報（Ｂ１１８）をクリックすると銘柄コード順に株価情報（図６）のイメージで分割ページ（下側）（Ｆ１０３）へ全ての銘柄（Ｆ１０９〜Ｆ１２２）が出力されます。
【００７２】
株式取引所（Ｂ１０７〜Ｂ１１１）を選択して、クリックすると、株式取引所が分割ページ（上側右）（Ｆ１０２）に表示されます。
【００７３】
株式銘柄情報（Ｂ１１３〜Ｂ１１８）は属性のターゲット（Ｔ）は同一ウィンドウで作成した方が分かりやすい。
【００７４】
図３は、本発明の概念と作用を示す図である。
【００７５】
同図に示すように、本システムの概念は、
ホームページのフレーム３分割（Ｃ１００，Ｃ１０１，Ｃ１０２、Ｃ１０３）を行い、各種株式詳細ファイル（Ｈ１０４）を入力して全ての銘柄コード（Ｃ１０９〜Ｃ１１４）が表示します。
【００７６】
なお  部（Ｃ１１０、Ｄ１１０、Ｅ１１０、Ｆ１１０）とは東証、大証、ジャスダック、マザーズ、ヘラクレス、セントレックス等の証券取引所です。
【００７７】
図３の、本発明の詳細を説明する。
【００７８】
銘柄コード（Ｃ１０９）を銘柄検索（Ｃ１０７）にコピーして、ＧＯをクリックすると、株価検索ができ,銘柄名をクリックすると、会社基本情報、決算・投資指標情報、株価情報等が表示できる。東証が例です。
【００７９】
銘柄情報（Ｃ１０９〜Ｃ１１５）の決算・投資指標情報（Ｃ１１３）をクリックすると決算・投資指標情報（図５）を表示します。
【００８０】
銘柄情報（Ｃ１０９〜Ｃ１１５）の企業詳細（Ｃ１１４）をクリックすると企業詳細（図４）を表示します。
【００８１】
選択した銘柄のみ表示したい時は、上記の処理の選択銘柄のみ表示なので、処理は容易です。
【００８２】
図４は、本発明の概念と作用を示す図である。
【００８３】
同図に示すように、本システムの概念は、
ホームページのフレーム３分割（Ｄ１００，Ｄ１０１，Ｄ１０２、Ｄ１０３）を行い、各種株式詳細ファイル（Ｈ１０５）を入力ファイルとして全ての銘柄情報（Ｄ１０９〜Ｄ１１８）が表示します。
【００８４】
図４の、本発明の詳細を説明する。
【００８５】
銘柄コード（Ｄ１０９）を銘柄検索（Ｄ１０７）にコピーして、ＧＯをクリックすると、株価検索ができ,銘柄名をクリックすると、会社基本情報、決算・投資指標情報、株価情報等が表示できる。東証が例です。
【００８６】
図５は、本発明の概念と作用を示す図である。
【００８７】
同図に示すように、本システムの概念は、
ホームページのフレーム３分割（Ｅ１００，Ｅ１０１，Ｅ１０２、Ｅ１０３）を行い、各種株式詳細ファイル（Ｈ１０５）を入力ファイルとして全ての銘柄情報（Ｅ１０９〜Ｅ１１７）を表示します。
【００８８】
図５の、本発明の詳細を説明する。
【００８９】
銘柄コード（Ｅ１０９）を銘柄検索（Ｅ１０７）にコピーして、ＧＯをクリックすると、株価検索ができ,銘柄名をクリックすると、会社基本情報、決算・投資指標情報、株価情報等が表示できる。東証が例です。
【００９０】
図６は、本発明の概念と作用を示す図である。
【００９１】
同図に示すように、本システムの概念は、
ホームページのフレーム３分割（Ｆ１００，Ｆ１０１，Ｆ１０２、Ｆ１０３）を行い、各種株式詳細ファイル（Ｈ１０５）を入力して全ての銘柄情報（Ｆ１０９〜Ｅ１２２）を表示します。
【００９２】
図６の、本発明の詳細を説明する。
【００９３】
銘柄コード（Ｆ１０９）を銘柄検索（Ｆ１０７）にコピーして、ＧＯをクリックすると、株価検索ができ,銘柄名をクリックすると、会社基本情報、決算・投資指標情報、株価情報等が表示できる。東証が例です。
【００９４】
図７は、本発明の概念と作用を示す図である。
【００９５】
同図に示すように、本システムの概念は、ｂａｃｋ  ｍｕｓｉｃが流れます。
【００９６】
図７の、本発明の詳細を説明する。
【００９７】
ｎｏｎｓｔｏｐ  ｂａｃｋ  ｍｕｓｉｃ（Ｇ１０１）をクリックするとｎｏｎｓｔｏｐ  ｂａｃｋ  ｍｕｓｉｃが流れます。私の発明のｎｏｎｓｔｏｐ  ｂａｃｋ  ｍｕｓｉｃを参照してください。
【００９８】
個別ｂａｃｋ  ｍｕｓｉｃ（Ｇ１０２〜Ｇ１０７）をクリックするとｂａｃｋ  ｍｕｓｉｃが流れます。私の発明のｂａｃｋ  ｍｕｓｉｃを参照してください。
【００９９】
図８は、本発明の概念と作用を示す図である。
【０１００】
同図に示すように、本システムの概念は、
各種株式ｕｒｌファイル（Ｈ１０１）を読んで、ｕｒｌでインターネット（Ｈ１０３）を読み、情報を取得して、ロジックテーブル（Ｈ１０４）のロジックで各種株式詳細ファイル（Ｈ１０５）を作成する。
【０１０１】
図８の、本発明の詳細を説明する。
【０１０２】
各種株式ｕｒｌファイル（Ｈ１０１）を読んで、ロジックテーブル（Ｈ１０４）のロジックで各種株式詳細ファイル（Ｈ１０５）を作成する。
【０１０３】
各種株式ＵＲＬファイル（Ｈ１０１）はｕｒｌ，ｕｒｌ名称が格納されていて、ｕｒｌでインターネット（Ｈ１０３）が読み込まれるファイルで有る。
【０１０４】
分かりやすいように名前を各種株式ｕｒｌファイル（Ｈ１０１）としているので有って、業務に関係なく使用できるファイルである。
【０１０５】
日付コントロールファイル（Ｈ１０２）には処理日等が入っております。
【０１０６】
ロジックテーブル（Ｈ１０４）の使用方法は私の発明  世界統一ホームページを参照してください。
【０１０７】
各種株式詳細ファイル（Ｈ１０５）は企業名（図３）、企業詳細（図４）、決算・投資指標情報（図５）、株価情報（図６）等の項目のレイアウトである。
【０１０８】
以上、本発明のｂａｃｋ  ｍｕｓｉｃを聴きながらおこなう一元管理株式売買を用いたシステム開発方法並びにシステムの一実施の形態について詳細に説明したが、本発明は、前記実施の形態に限定されず、本発明の要旨を逸脱しない範囲で種々変更しても差し支えない。
【０１０９】
また  一元管理の主な情報はインターネット証券を無料で配信するニュース、証券、銀行、その他金融、不動産、ファンド、日経平均先物、日経平均株価、新聞株式情報、海外マーケット、新聞ニュース等の株式売買に関係する情報を一元管理で、フレーム分割も一元管理しやすいように分割できるもので有る。
【０１１０】
また  デイトレード、スイングトレードに適するソフトを開発して、使用できるシステムで有る。
【０１１１】
また  米国株などの海外マーケットのウオッチに便利にも作成する。
【０１１２】
また  本発明は本人のホームページの
ＵＲＬ：http://homepage2.nifty.com/urltokyo/framepage12a.html  でイメージ確認は、できるもので有る。
【図面の簡単な説明】
【０１１３】
【図１】株式情報ページの概要説明図である。
【図２】情報株式の概要説明図である。
【図３】企業名の概要説明図である。
【図４】企業詳細の概要説明図である。
【図５】決算・投資指標情報の概要説明図である。
【図６】株価情報の概要説明図である。
【図７】ｂａｃｋ  ｍｕｓｉｃの概要説明図である。
【図８】各種株式明細ファイル作成の概要説明図である。
【符号の説明】
【０１１４】
Ａ１００：株式情報ページ
Ａ１０１：分割ページ（上側左）
Ａ１０２：分割ページ（上側右）
Ａ１０３：分割ページ（左側上）
Ａ１０４：分割ページ（左側下）
Ａ１０５：分割ページ（中央）
Ａ１０６：ｔｏｐページ
Ａ１０７：ｂａｃｋ  ｍｕｓｉｃ
Ａ１０８：戻る
Ａ１０９：Ａ１０２ページｂａｃｋ
Ａ１１０：Ａ１０２ページｎｅｘｔ
Ａ１１１：Ａ１０２ページ指定ｓｅｌｅｃｔボタン
Ａ１１２：株式情報
Ａ１１３：株式情報
Ａ１１４：株式情報
Ａ１１５：株式情報
Ａ１１６：Ａ１０２ページ指定ｓｅｌｅｃｔボタン
Ａ１１７：東証株式情報
Ａ１１８：日経平均先物、日経平均株価
Ａ１１９：Ａ１０４ページｂａｃｋ
Ａ１２０：Ａ１０４ページｎｅｘｔ
Ａ１２１：Ａ１０４ページ指定ｓｅｌｅｃｔボタン
Ａ１２２：ネット証券
Ａ１２３：ネット証券
Ａ１２４：ネット証券
Ａ１２５：Ａ１０４ページ指定ｓｅｌｅｃｔボタン
Ａ１２６：ページ検索
Ａ１２７：株式銘柄情報（銘柄コード順）
Ａ１２８：株式銘柄情報（新聞順）
Ａ１２９：株式銘柄情報（企業名順）
Ａ１３０：企業詳細
Ａ１３１：決算・投資指標情報
Ａ１３２：株価情報
Ｂ１００：東証株式情報
Ｂ１０１：分割ページ（上側左）
Ｂ１０２：分割ページ（上側右）
Ｂ１０３：分割ページ（下側）
Ｂ１０４：クリア
Ｂ１０５：戻る
Ｂ１０６：銘柄一覧
Ｂ１０７：東証
Ｂ１０８：ジャスダック
Ｂ１０９：大証
Ｂ１１０：ヘラクレス
Ｂ１１１：セントレックス
Ｂ１１２：ページ検索
Ｂ１１３：株式銘柄情報（銘柄コード順）
Ｂ１１４：株式銘柄情報（新聞順）
Ｂ１１５：株式銘柄情報（企業名順）
Ｂ１１６：企業詳細
Ｂ１１７：決算・投資指標情報
Ｂ１１８：株価情報
Ｃ１００：企業名
Ｃ１０１：分割ページ（上側左）
Ｃ１０２：分割ページ（上側右）
Ｃ１０３：分割ページ（下側）
Ｃ１０４：クリア
Ｃ１０５：戻る
Ｃ１０６：銘柄一覧
Ｃ１０７：銘柄検索
Ｃ１０８：ページ検索
Ｃ１０９：銘柄コード
Ｃ１１０：部
Ｃ１１１：略称
Ｃ１１２：企業名
Ｃ１１３：決算・投資指標情報
Ｃ１１４：企業詳細
Ｃ１１５：株価
Ｄ１００：企業詳細
Ｄ１０１：分割ページ（上側左）
Ｄ１０２：分割ページ（上側右）
Ｄ１０３：分割ページ（下側）
Ｄ１０４：クリア
Ｄ１０５：戻る
Ｄ１０６：銘柄一覧
Ｄ１０７：銘柄コード検索
Ｄ１０８：ページ検索
Ｄ１０９：銘柄コード
Ｄ１１０：部
Ｄ１１１：設立年月
Ｄ１１２：資本金
Ｄ１１３：従業員数（男性）
Ｄ１１４：従業員数（女性）
Ｄ１１５：従業員数
Ｄ１１６：売上高
Ｄ１１７：営業利益
Ｄ１１８：経常利益
Ｅ１００：決算・投資指標情報
Ｅ１０１：分割ページ（上側左）
Ｅ１０２：分割ページ（上側右）
Ｅ１０３：分割ページ（下側）
Ｅ１０４：クリア
Ｅ１０５：戻る
Ｅ１０６：銘柄一覧
Ｅ１０７：銘柄コード検索
Ｅ１０８：ページ検索
Ｅ１０９：銘柄コード
Ｅ１１０：部
Ｅ１１１：一株当たり当期純利益
Ｅ１１２：一株当たり純資産
Ｅ１１３：ROE
Ｅ１１４：PER
Ｅ１１５：PBR
Ｅ１１６：期末配当金
Ｅ１１７：発行済株式数
Ｆ１００：株価情報
Ｆ１０１：分割ページ（上側左）
Ｆ１０２：分割ページ（上側右）
Ｆ１０３：分割ページ（下側）
Ｆ１０４：クリア
Ｆ１０５：戻る
Ｆ１０６：銘柄一覧
Ｆ１０７：銘柄コード検索
Ｆ１０８：ページ検索
Ｆ１０９：銘柄コード
Ｆ１１０：部
Ｆ１１１：処理日時刻
Ｆ１１２：現在値
Ｆ１１３：前日比
Ｆ１１４：始値
Ｆ１１５：前終値
Ｆ１１６：高値
Ｆ１１７：安値
Ｆ１１８：年初来高値
Ｆ１１９：年初来安値
Ｆ１２０：売買高
Ｆ１２１：売買単価
Ｆ１２２：売買代金
Ｇ１００：ｂａｃｋ  ｍｕｓｉｃ
Ｇ１０１：ｎｏｎｓｔｏｐ  ｂａｃｋ  ｍｕｓｉｃ
Ｇ１０２：個別ｂａｃｋ  ｍｕｓｉｃ
Ｇ１０３：個別写真ｂａｃｋ  ｍｕｓｉｃ
Ｇ１０４：個別ｂａｃｋ  ｍｕｓｉｃ
Ｇ１０５：個別写真ｂａｃｋ  ｍｕｓｉｃ
Ｇ１０６：個別ｂａｃｋ  ｍｕｓｉｃ
Ｇ１０７：個別写真ｂａｃｋ  ｍｕｓｉｃ
Ｈ１００：各種株式詳細ファイル作成
Ｈ１０１：各種株式ｕｒｌファイル
Ｈ１０２：日付コントロールファイル
Ｈ１０３：インターネット
Ｈ１０４：ロジックテーブル
Ｈ１０５：各種株式詳細ファイル
【図１】
2008198045.tif 000003
【図２】
2008198045.tif 000004
【図３】
2008198045.tif 000005
【図４】
2008198045.tif 000006
【図５】
2008198045.tif 000007
【図６】
2008198045.tif 000008
【図７】
2008198045.tif 000009
【図８】
2008198045.tif 000010